(57)【要約】      （修正有）【課題】追加の要素を要することなく異なるプラグ位置で汎用的に適用され得るコネクタハウジングアセンブリを提供する。【解決手段】コネクタハウジング３と嵌合コネクタハウジング５とは、互いの方にプラグ方向１１に沿って移動することによってそれぞれの接続セクション１３のところで第１の位置７において互いに接続されるように構成される。第２の位置において一緒にプラグ接続されるように構成されるコネクタハウジング３および嵌合コネクタハウジング５により、第２の位置において、コネクタハウジング３または嵌合コネクタハウジング５のうちの１つが、第１の位置７と比べてプラグ方向１１のまわりに回転される。第１の位置７において、ケーブル方向１９とコンタクト方向２１とは互いに実質的に垂直であり、一方、第２の位置において、ケーブル方向１９とコンタクト方向２１とは互いに実質的に平行である。【選択図】図２
2017098245.tif 000002
【特許請求の範囲】
【請求項１】
コネクタハウジング（３）と嵌合コネクタハウジング（５）とを含む電気コネクタアセンブリ（２）のためのコネクタハウジングアセンブリ（１）であって、
前記コネクタハウジングと前記嵌合コネクタハウジングとが、互いの方にプラグ方向（１１）に沿って移動することによってそれぞれの接続セクション（１３）のところで第１の位置（７）において互いに接続されるように構成され、
前記コネクタハウジング（３）がケーブル（３３）のためのケーブル側レセプタクル（２３）をさらに含み、前記ケーブル側レセプタクル（２３）がケーブル方向に開口し、
前記嵌合コネクタハウジング（５）が、ケーブル（３３）のためのコンタクト側レセプタクル（２５）および／または少なくとも１つのコンタクト要素（５１）を含み、前記コンタクト側レセプタクル（２５）がコンタクト方向（２１）に開口し、
両方のレセプタクル（２３、２５）が前記それぞれのコネクタハウジング（３、５）の前記接続セクション（１３）の反対側の端部に配置され、
前記コネクタハウジング（３）と前記嵌合コネクタハウジング（５）とが第２の位置（９）において一緒にプラグ接続されるように構成され、
前記第２の位置（９）において、前記コネクタハウジング（３）または前記嵌合コネクタハウジング（５）のうちの１つが、前記第１の位置（７）と比べて前記プラグ方向（１１）のまわりに回転され、
前記第１の位置（７）において、前記ケーブル方向（１９）と前記コンタクト方向（２１）とが互いに実質的に垂直であり、一方、前記第２の位置（９）において、前記ケーブル方向（１９）と前記コンタクト方向（２１）とが互いに実質的に平行であることを特徴とするコネクタハウジングアセンブリ（１）。
【請求項２】
前記ケーブル方向（１９）と前記プラグ方向（１１）とが互いに少なくとも約４５°の角度をなし、および／または、
前記コンタクト方向（２１）と前記プラグ方向（１１）とが互いに少なくとも約４５°の角度をなすことを特徴とする、
請求項１に記載のコネクタハウジングアセンブリ（１）。
【請求項３】
コネクタハウジング（３）および前記コネクタハウジング（３）内の導電体（１５７）をもつ電気コネクタ（４）と、嵌合コネクタハウジング（５）および前記嵌合コネクタハウジング（５）内の嵌合導電体（１５９）をもつ電気嵌合コネクタ（６）とを含む電気コネクタアセンブリ（２）であって、
前記コネクタ（４、６）が、互いの方にプラグ方向（１１）に沿って移動することによってそれぞれの接続セクション（１３）のところで第１の位置（７）において互いに接続されるように構成され、
前記コネクタハウジング（３）には、ケーブル方向（１９）に開口し、前記導電体（１５７）を受け取るケーブル側レセプタクル（２３）がさらに含まれ、
前記嵌合コネクタハウジング（５）には、コンタクト方向（２１）に開口し、前記嵌合導電体（１５９）を受け取るコンタクト側レセプタクル開口（２５）が含まれ、
両方のレセプタクル（２３、２５）が前記それぞれのコネクタハウジング（３、５）の前記接続セクション（１３）の反対側の端部に配置され、
前記コネクタハウジング（３）と前記嵌合コネクタハウジング（５）とが第２の位置（９）において一緒にプラグ接続されるように構成され、
前記第２の位置（９）において、前記コネクタハウジング（３）または前記嵌合コネクタハウジング（５）のうちの１つが、前記第１の位置（７）と比べて前記プラグ方向（１１）のまわりに回転され、
前記第１の位置（７）において、前記ケーブル側レセプタクル（２３）に受け取られる前記導電体（１５７）と前記コンタクト側レセプタクル（２５）に受け取られる前記嵌合導電体（１５９）とが互いに実質的に垂直であり、一方、前記第２の位置（９）において、それらが互いに実質的に平行であることを特徴とする電気コネクタアセンブリ（２）。
【請求項４】
それぞれ前記ケーブル方向（１９）および／または前記コンタクト方向（２１）と反対方向に前記それに準拠したハウジング（３、５）に挿入されるように構成されたコネクタインサート（６７）および／または嵌合コネクタインサート（４５）が設けられ、
前記コネクタインサート（６７）がケーブル側部分（１２８）とコネクタ側部分（１２７）とを含み、
前記嵌合コネクタインサート（４５）がコンタクト側部分（１２９）とコネクタ側部分（１２７）とを含み、
前記コネクタインサート（６７）および／または前記嵌合コネクタインサート（４５）が、前記それに準拠したハウジング（３、５）に装着される場合、前記接続セクション（１３）から、前記それぞれのハウジング（３、５）の前記接続セクション（１３）の反対側の端部に配置されている前記レセプタクル（２３、２５）まで延びることを特徴とする、
請求項３に記載の電気コネクタアセンブリ（２）。
【請求項５】
前記コネクタインサート（６７）の前記ケーブル側部分（１２８）および前記接続側部分（１２７）および／または前記嵌合コネクタインサート（４５）の前記コンタクト側部分（１２９）および前記接続側部分（１２７）が、互いに少なくとも約１３５°の角度をなすことを特徴とする、
請求項３または４に記載の電気コネクタアセンブリ（２）。
【請求項６】
前記コネクタインサート（６７）および／または前記嵌合コネクタインサート（４５）が、前記ケーブルを受け取るためのケーブル凹部と、前記それに準拠したハウジングの内側ハウジングおよび／また内側嵌合コネクタハウジングを受け取るための内側ハウジング凹部とをもつシールド（４９）を含み、
前記ケーブル凹部と前記内側ハウジング凹部とが互いに少なくとも約１３５°の角度をなすことを特徴とする、
請求項３から５のいずれか一項に記載の電気コネクタアセンブリ（２）。
【請求項７】
前記コネクタインサート（６７）の前記シールド（４９）および／または前記嵌合コネクタインサート（４５）の前記シールド（４９）が、フード部分（８７）を含むことを特徴とする、
請求項３から６のいずれか一項に記載の電気コネクタアセンブリ（２）。
【請求項８】
前記フード部分（８７）がヒンジ線（８９）のまわりに傾斜可能であり、
前記ヒンジ線（８９）が脆弱化線（１２１）であることを特徴とする、
請求項７に記載の電気コネクタアセンブリ（２）。
【請求項９】
前記シールド（４９）を保持および／または固定するように構成される保持要素（７８）を特徴とする、
請求項６から８のいずれか一項に記載の電気コネクタアセンブリ（２）。
【請求項１０】
−  前記コネクタインサート（６７）と前記コネクタハウジング（３）との間の、および／または
−  前記嵌合コネクタインサート（４５）と前記嵌合コネクタハウジング（５）との間の
クリアランス（１０９）が、前記それぞれのハウジング（３、５）の前記接続セクション（１３）の反対側の端部に配置されている前記レセプタクル（２３、２５）におけるよりも前記接続セクション（１３）において小さいことを特徴とする、
請求項３から９のいずれか一項に記載の電気コネクタアセンブリ（２）。
【請求項１１】
前記コネクタインサート（６７）および／または前記嵌合コネクタインサート（４５）が、前記それに準拠したハウジング（３、５）の前記接続セクション（１３）の反対側の端部から前記それに準拠したハウジング（３、５）に挿入されるように構成され、好ましくは、所定の位置にスナップ留めされるかまたはクリップ留めされるように構成されることを特徴とする、
請求項４から１０のいずれか一項に記載の電気コネクタアセンブリ（２）。
【請求項１２】
前記嵌合コネクタ（６）がヘッダ（６ａ）であり、前記嵌合コネクタハウジング（５）がヘッダハウジング（５ａ）であることを特徴とする、
請求項３から１１のいずれか一項に記載の電気コネクタアセンブリ（２）。
【請求項１３】
前記嵌合コネクタインサート（４５）が、前記嵌合コネクタハウジング（５）の前記コンタクト側レセプタクル（２５）から前記接続セクション（１３）まで延びるヘッダ挿入部（４６）であることを特徴とする、
請求項１２に記載の電気コネクタアセンブリ（２）。
【請求項１４】
導電性タブ（１５１）が設けられ、前記タブ（１５１）が、少なくとも約１３５°の角度を有し、
前記プラグ方向（１１）で前記ヘッダ挿入部（４６）に挿入されるように構成されることを特徴とする、
請求項１３に記載の電気コネクタアセンブリ（２）。
【請求項１５】
前記ヘッダハウジング（５ａ）が、前記コンタクト側（２２）から前記ヘッダ挿入部（４６）を受け取るように構成されることを特徴とする、
請求項１３または１４に記載の電気コネクタアセンブリ（２）。
【発明の詳細な説明】
【技術分野】
【０００１】
本発明は、コネクタハウジングと嵌合コネクタハウジングとを含む電気コネクタのためのコネクタハウジングアセンブリに関する。コネクタハウジングと嵌合コネクタハウジングとは、互いの方にプラグ方向に沿って移動することによってそれぞれの接続セクションのところで第１の位置において互いに接続されるように構成される。コネクタハウジングはケーブルのためのケーブル側レセプタクルをさらに含み、レセプタクルはケーブル方向に開口する。嵌合コネクタハウジングは、ケーブルのためのコンタクト側レセプタクルおよび／または少なくとも１つのコンタクト要素を含み、レセプタクルはコンタクト方向に開口する。両方のレセプタクルはそれぞれのコネクタハウジングの接続セクションの反対側の端部に配置される。
【０００２】
本発明は、さらに、コネクタハウジングおよびコネクタハウジング内の電気導体をもつ電気コネクタと、嵌合コネクタハウジングおよび嵌合導電体をもつ電気嵌合コネクタとを含む電気コネクタアセンブリに関する。コネクタは、互いの方にプラグ方向に沿って移動することによってそれぞれの接続セクションのところで第１の位置において互いに接続されるように構成される。コネクタハウジングには、ケーブル方向に開口し、導電体を受け取るケーブル側レセプタクルがさらに含まれる。嵌合コネクタハウジングには、コンタクト方向に開口し、嵌合導電体を受け取るコンタクト側レセプタクルが含まれる。両方のレセプタクルは、それぞれのコネクタハウジングの接続セクションの反対側の端部に配置される。
【背景技術】
【０００３】
コネクタハウジングアセンブリは先行技術から知られている。コネクタハウジングアセンブリが電気アングルコネクタ用に構成される場合、コネクタハウジングアセンブリは、第１の位置にプラグ接続されるように構築され、異なるプラグ角度を許容する構成で利用されるように構成されていない。異なるプラグ角度を得るには、別のコネクタハウジングアセンブリまたは少なくとも別の追加のコネクタハウジングを適用しなければならない。
【０００４】
９０°のプラグ角度をもつ電気コネクタの場合には、コンタクトピンは、ケーブル側からコネクタハウジングに挿入できないことがある。それゆえに、先行技術のコンタクトピンは、いくつかの部品を必要とするか、またはコネクタハウジングに成形されることを要する。いくつかの部品を含むコンタクトピンはより高い接触抵抗を有し、それはそのようなアングルプラグによって送出され得る電力の減少をもたらす。
【０００５】
さらに、１８０°の角度が望まれる場合、追加の９０°プラグをシステムに組み入れる必要がある。追加の要素は接触抵抗をさらに増加させる。
【０００６】
したがって、先行技術の解決策は多くの部品を必要とし、それは、コストの増加をもたらし、さらに接触抵抗の増加をもたらす。
【発明の概要】
【発明が解決しようとする課題】
【０００７】
それゆえに、本発明の目的は、追加の要素を要することなく異なるプラグ位置で汎用的に適用され得るコネクタハウジングアセンブリを提供することである。
【０００８】
さらに、本発明の目的は、追加の要素を必要とすることなしに、および電気コネクタアセンブリの接触抵抗を増加させることなしに、嵌合コネクタのコンタクトピンおよび／またはケーブルと電気コネクタのケーブルとの間に９０°または１８０°のいずれかの角度を有するように構成することができる電気コネクタアセンブリを提供することである。
【課題を解決するための手段】
【０００９】
これらの目的は、コネクタハウジングアセンブリが、第２の位置において一緒にプラグ接続されるように構成されるコネクタハウジングおよび嵌合コネクタハウジングを含み、第２の位置において、コネクタハウジングまたは嵌合コネクタハウジングのうちの１つが第１の位置と比べてプラグ方向のまわりに回転されるという理由で、本発明のコネクタハウジングアセンブリでは達成される。本発明のコネクタハウジングアセンブリでは、第１の位置において、ケーブル方向とコンタクト方向とは互いに実質的に垂直であり、一方、第２の位置において、ケーブル方向とコンタクト方向とは互いに実質的に平行である。
【００１０】
本発明の電気コネクタアセンブリは、第２の位置において一緒にプラグ接続されるように構成されるコネクタハウジングおよび嵌合コネクタハウジングを備えることによって上記の問題を解決し、第２の位置において、コネクタハウジングまたは嵌合コネクタハウジングのうちの１つは、第１の位置と比べてプラグ方向のまわりに回転され、第１の位置において、ケーブル側レセプタクルに受け取られる導電体とコンタクト側レセプタクルに受け取られる嵌合導電体とは互いに実質的に垂直であり、一方、第２の位置において、それらは互いに実質的に平行である。
【００１１】
以下において、本発明のさらなる有利な実施形態が説明される。各々それ自体有利である個々の特徴は、互いに任意に組み合わされ得る。
【００１２】
コネクタハウジングアセンブリの好ましい実施形態では、ケーブル方向とプラグ方向とは互いに少なくとも約４５°の角度をなし、および／またはコンタクト方向とプラグ方向とは互いに少なくとも約４５°の角度をなす。
【００１３】
両方のハウジングがそれらのレセプタクルの間に少なくとも約１３５°の角度を生じさせるならば好ましい。
【００１４】
少なくとも約１３５°の同じ角度が各ハウジングの２つのレセプタクル間に設けられる場合、第１の位置において、少なくとも約４５°の方向の２つの等しい角度変化は、合計して少なくとも約９０°の方向の変化になり得る。
【００１５】
一方、ハウジングレセプタクル間に少なくとも約１３５°の角度をもつ２つのハウジングが第２の位置において一緒にプラグ接続される場合、コネクタハウジングによって導入される方向の角度変化は、方向の角度変化が両方のハウジングで反対であるので、嵌合コネクタハウジングによって導入される方向の角度変化を補償することができる。
【００１６】
（ａ）ケーブル方向とプラグ方向との間、および（ｂ）コンタクト方向とプラグ方向との間で異なる角度を選ぶことによって、複数のプラグ位置を得ることができ、得られたケーブル方向およびコンタクト方向は、９０°および１８０°と異なる角度をなすことができる。しかしながら、両方の可能な位置において、ケーブル方向とコンタクト方向との間の角度は、先行技術の解決策におけるものと等しくない。
【００１７】
電気コネクタアセンブリの第１の有利な実施形態では、それぞれケーブル方向および／またはコンタクト方向と反対方向に、それに準拠したハウジング（ａｃｃｏｒｄｉｎｇ  ｈｏｕｓｉｎｇ）に挿入されるように構成されたコネクタインサートおよび／または嵌合コネクタインサートが設けられ、コネクタインサートがケーブル側部分とコネクタ側部分とを含み、嵌合コネクタインサートがコンタクト側部分とコネクタ側部分とを含み、コネクタインサートおよび／または嵌合コネクタインサートは、それに準拠したハウジングに装着される場合、接続セクションから、それぞれのハウジングの接続セクションの反対側の端部に配置されているレセプタクルまで延びる。
【００１８】
コネクタハウジングへのコネクタインサートの装着および／または嵌合コネクタハウジングへの嵌合コネクタインサートの装着の異なる手段が可能である。両方のハウジングは１つの部品として具現化することができる。
【００１９】
一体化されたハウジングの場合には、コネクタインサートは、例えば、接続セクションに配置されたレセプタクルが開口する側として規定されるケーブル側または接続側のどちらかからコネクタハウジングに挿入される。
【００２０】
嵌合コネクタインサートは、同様に、嵌合コネクタハウジングに、すなわち、接続側またはケーブル側のいずれかから挿入することができる。
【００２１】
さらに、コネクタハウジングおよび／または嵌合コネクタハウジングは２つの部品を含むことができ、コネクタインサートおよび／または嵌合コネクタインサートの組み立て中に、前記挿入部はそれぞれのハウジングの１つの部分に挿入され、それぞれのハウジングの第２の部分はハウジングを閉じることによって、それぞれのハウジングの第１の部分に取り付けられ得る。
【００２２】
コネクタインサートおよび／または嵌合コネクタインサートをそれぞれのハウジングに組み込むための別の可能性は、コネクタインサートおよび／または嵌合コネクタインサートをそれぞれのハウジングに直接成形することである、すなわち、それぞれのハウジングがコネクタインサートおよび／または嵌合コネクタインサートのまわりに成形される。
【００２３】
本発明の電気コネクタアセンブリの別の有利な実施形態では、コネクタインサートのケーブル側部分および接続側部分および／または嵌合コネクタインサートのコンタクト側部分および接続側部分は、互いに少なくとも約１３５°の角度をなす。
【００２４】
「少なくとも約１３５°」という用語は、挿入部の部分によって張られる角度のある一定の変動が、正確に１３５°ではないことがあり、±数度の範囲内で変動することがあることを表していることに留意されたい。
【００２５】
コネクタインサートおよび嵌合コネクタインサートは、挿入部のそれぞれの部分の間に同じ角度を特徴としてもつことが好ましい。ケーブル方向とコンタクト方向との間の角度が９０°または１８０°から外れていることが好ましい場合、挿入部の異なる部分の間の角度は前記１３５°と異なっていてもよい。
【００２６】
コネクタインサートまたは嵌合コネクタインサートのうちの１つが、少なくとも約１３５°の角度をなす２つの部分を特徴としてもつ場合、９０°および１８０°から外れるケーブル方向とコンタクト方向との間の角度を得ることもでき、ここで、対応する第２の挿入部の部分は、実質的に異なる角度をなすことができる。
【００２７】
コネクタインサートのケーブル側部分および／または嵌合コネクタインサートのコンタクト側部分は、ケーブルの剥かれた部分を単独で含むことができる。この剥かれた部分は、前記ケーブルの露出した芯を含むことができる。ケーブルの前記芯は、少なくとも約１３５°の角度を得るために、必要な曲げを備えることができる。しかしながら、コネクタインサートおよび／または嵌合コネクタインサートは、互いに少なくとも約１３５°の固定角度をなす２つの部分を含む個々の部品として具現化することができる。
【００２８】
コネクタインサートおよび／または嵌合コネクタインサートは、対応する挿入部の２つの部分の間の角度を設定できるようにする曲げ領域を含むことができる。この場合、剥かれたケーブルの芯は、挿入部の既に曲げられた領域に取り付けることができ、または対応する挿入部の１つの部分を用いて受動的に曲げることができる。
【００２９】
電気コネクタアセンブリの別の実施形態では、コネクタインサートおよび／または嵌合コネクタインサートが、ケーブルを受け取るためのケーブル凹部と、それに準拠したハウジングの内側コネクタハウジングおよび／また内側嵌合コネクタハウジングを受け取るための内側ハウジング凹部とをもつシールドを含み、ケーブル凹部と内側ハウジング凹部とが互いに少なくとも約１３５°の角度をなせば有利である。
【００３０】
シールドは、それが取り囲む挿入部と同じ角度を示すならば好ましい。同じ角度によって、挿入部とシールドとの間のクリアランスが最小にされ、さらに、そのような電気コネクタアセンブリによって必要とされる空間を最小にすることができる。
【００３１】
コネクタインサートおよび／または嵌合コネクタインサートのシールドは、対応する挿入部を完全に取り囲むことができる。しかしながら、シールドは、それが適用される環境に応じて構成することもできる。
【００３２】
例えば、コネクタハウジングまたは嵌合コネクタハウジングのうちの１つが、機械またはデバイスの壁の内部にまたは背後に部分的に組み付けられる場合、デバイスまたは機械の壁は、やはり、電磁気クロストークまたは寄生結合（parasitic coupling）に対するシールドの特徴をもつことができるので、シールドによって挿入部の１つの側のみを遮蔽することで十分であることがある。
【００３３】
電気コネクタおよび／または電気嵌合コネクタに適用されるシールドは、実質的に同じでもよく、さらに、わずかにまたは完全に異なってもよい。
【００３４】
シールドを使用して、対応するコネクタハウジングの内部に配置された剥かれたケーブル部分を遮蔽することができる。マルチワイヤケーブルは、一般に、電磁気クロストークに対して遮蔽されているので、多芯ケーブルの絶縁物シールディングの一部が、電子接続を確立するために取り除かれる場合でさえ、シールドは電気回路全体の連続的なシールディングを保証することができる。この剥かれたケーブル部分は、シールドで取り囲まれ、遮蔽され得る。
【００３５】
シールドは、シールド間にまたはシールドと機械壁との間に、十分な垂直力を用いて電気コンタクトを確立するために使用することができる弾性クランピング脚部を含むことができる。
【００３６】
さらに、前記弾性クランピング脚部は、嵌合コネクタからコネクタを抜くのに必要となることがある機械的リリース力を増加させることができ、またはロック部材として働くこともできる。
【００３７】
上述で与えられた効果の任意の組合せが本発明の一実施形態において行われ得ると想定することができる。
【００３８】
本発明の電気コネクタアセンブリの別の好ましい実施形態では、コネクタインサートのシールドおよび／または嵌合コネクタインサートのシールドは、フード部分を含む。
【００３９】
フード部分は、シールドによるシールディングを補完するためにシールドに取り付けるかおよび／または固定することができる別個の要素とすることができる。
【００４０】
シールドは、ケーブルおよび／または内側ハウジングまたは内側嵌合コネクタハウジングを受け取るための異なる凹部を含むので、前記要素の組み立ては、大部分は、フード部分によって促進され得る。フード部分は、前記要素がシールドに挿入された後で初めてそのシールディング位置に持って来られる。
【００４１】
それゆえに、着脱可能に構成され、異なる要素を挿入した後にシールドに組み立てられるフード部分は、挿入される要素とシールドとの間に大きいクリアランスを必要とすることなく、ケーブル、内側コネクタハウジング、または内側嵌合コネクタハウジングの挿入を可能にする（両方の要素は、少なくとも約１３５°の角度をなし得る）。
【００４２】
フード部分は、曲がったケーブルおよび／または曲がった内側コネクタハウジングおよび／または曲がった内側嵌合コネクタハウジングの曲がったシールドへの容易な組み付けを可能にすることができ、挿入された要素は、シールドにしっかりと嵌めることができ、電磁気クロストークに対するシールディングは、前記要素がシールドに挿入された開口上にフード部分を取り付けることによって補完される。
【００４３】
本発明の電気コネクタアセンブリの別の実施形態では、フード部分がヒンジ線のまわりに傾斜可能であり、ヒンジ線が脆弱化線であるならば有利である。
【００４４】
フード部分およびシールドそれ自体は、金属シートから作られた一体構造の打ち抜き曲げ部品（monolithic stamped and bent part）とすることができる。
【００４５】
フード部分がヒンジによってシールドに取り付けられる場合、フード部分は、別個の要素の場合におけるように紛失することがないであろう。
【００４６】
ヒンジ線が脆弱化線（weakening line）であるならば有利である。その理由は、そのような脆弱化線が、金属シートの打ち抜きまたは曲げの間に容易に生成することができ、それゆえに、ヒンジの製造を容易にするからである。
【００４７】
脆弱化線は、さらに、手でシールドを容易に組み立てることを可能にする。その理由は、曲げ力が加えられる場合、金属シートの曲げが生じることになる所定の構造を脆弱化線が示しているからである。
【００４８】
脆弱化線は、金属シートの残りと比較して材料厚さが減少した線として、または前記構造の輪郭のはっきりした区域内に金属シートの強度を減少させる金属シートのドリル孔、ノッチ、くぼみ、または同様の構造を含む線として具現化され得る。
【００４９】
本発明の電気コネクタアセンブリの別の有利な実施形態では、シールドを保持および／または固定するように構成される保持要素が設けられる。
【００５０】
シールドのフード部分が、例えば、ケーブル、内側コネクタハウジング、または内側嵌合コネクタハウジングのような含まれる要素を完全に遮蔽するようにシールドの組み立て中に傾けられる場合、フード部分がこのシールディング位置で固定される（ｆｉｘｅｄ  ａｎｄ／ｏｒ  ｓｅｃｕｒｅｄ）ならば好ましい。
【００５１】
保持要素は、フード部分をシールドに固定するクリップとして具現化することができ、保持要素は、さらに、シールディング位置にシールドを保持および／または固定するためにシールドとフード部分との上に置かれるリングとして具現化することができる。
【００５２】
さらに、保持要素は、シールドの補完的保持もどり止めフックまたはラッチにロックされるフード部分のラッチまたは保持フックとして具現化することができる。
【００５３】
電気コネクタアセンブリの別の実施形態では、
−  コネクタインサートとコネクタハウジングとの間の、および／または
−  嵌合コネクタインサートと嵌合コネクタハウジングとの間の
クリアランスが、それぞれのハウジングの接続セクションの反対側の端部に配置されているレセプタクルにおけるよりも接続セクションにおいて小さいならば有利である。
【００５４】
そのようなクリアランスは、コネクタインサートおよび／または嵌合コネクタインサートが、より大きいクリアランスを特徴とする側から対応するハウジングに挿入されるならば役立つことができる。
【００５５】
そのようなクリアランスは、１つの単一部品として具現化されているコネクタインサートおよび／または嵌合コネクタインサートを挿入することを可能にすることができる。
【００５６】
対応する挿入部の接続側部分を、接続セクションにそれぞれ配置されているレセプタクルに挿入するために、コネクタインサートおよび／または嵌合コネクタインサートの最終組み立て位置に達するように傾斜移動を適用することができる。しかしながら、この傾斜移動は、それぞれのハウジングの接続セクションの反対側の端部に配置されたコネクタインサートおよび／または嵌合コネクタインサートの部分が十分なクリアランスを有する場合、容易に実行することができる。
【００５７】
電気コネクタアセンブリの別の有利な実施形態では、コネクタインサートおよび／または嵌合コネクタインサートは、それに準拠したハウジングの接続セクションの反対側の端部から、それに準拠したハウジングに挿入されるように構成され、好ましくは、所定の位置にスナップ留めされるかまたはクリップ留めされるように構成される。
【００５８】
対応するハウジングへのコネクタインサートおよび／または嵌合コネクタインサートのスナップ留めまたはクリップ留めは、それぞれ、コネクタインサートとコネクタハウジングとのフォームフィットと、嵌合コネクタインサートと嵌合コネクタハウジングとの間のフォームフィットとによって達成され得る。
【００５９】
挿入部とハウジングとの前記組合せは、挿入部と、対応するハウジングとの間の前述のクリアランスによって特徴づけられる。
【００６０】
所定の位置にスナップ留めされるように、挿入部および／または嵌合コネクタインサートは、コネクタハウジングおおよび／または嵌合コネクタハウジングの対向ロック部材にロックされるように構成されたロック部材を含むことができる。
【００６１】
所定の位置にスナップ留めされるかまたはクリップ留めされると、挿入部および／または嵌合コネクタインサートと、対応するハウジングとの間のロックの係合は、ユーザへの電気コネクタアセンブリの光学および／または音響および／または触覚フィードバックによって合図することができる。
【００６２】
本発明の電気コネクタアセンブリの別の実施形態では、嵌合コネクタがヘッダであり、嵌合コネクタハウジングがヘッダハウジングであるならば有利である。
【００６３】
ヘッダは機械またはデバイスの壁に取り付けられるように構成することができ、ヘッダを前記壁に取り付けるためにフランジを含むことができる。
【００６４】
機械またはデバイスの壁は、機械またはデバイスに達する導電性要素を部分的に遮蔽するので、ヘッダのシールドは、機械またはデバイスに達する前記要素を単に部分的に遮蔽するように構成されてもよい。
【００６５】
フランジは、さらに、流体および塵埃が機械またはデバイスに入らないように機械またはデバイスの壁のヘッダ開口を封止するために、軸方向シールを含むように構成されてもよい。
【００６６】
電気コネクタアセンブリの別の好ましい実施形態では、嵌合コネクタインサートは、嵌合コネクタハウジングのコンタクト側レセプタクルから接続セクションまで延びるヘッダ挿入部である。
【００６７】
ヘッダ挿入部は、コネクタハウジングへの上述のコネクタインサートと同様にヘッダハウジングに挿入され得る。ヘッダ挿入部は、直線移動と傾斜移動との組合せによって挿入され得るが、ヘッダ挿入部は、プラグ方向と、コンタクト方向とは反対の方向とに沿った２つの直線移動によってヘッダハウジングに挿入されることも可能である。
【００６８】
ヘッダ挿入部は、少なくとも１つの機械的コンタクトポイントを備える案内要素を含むことができる。少なくとも１つの機械的コンタクトポイントに沿って、ヘッダ挿入部は、ヘッダハウジングへの挿入の間案内される。
【００６９】
本発明の電気コネクタアセンブリの別の実施形態では、嵌合コネクタインサートが、嵌合コネクタハウジングのコンタクト側レセプタクルから接続セクションまで延びるヘッダ挿入部であるならば有利である。
【００７０】
前記ヘッダ挿入部が単一部品として具現化される、すなわち、ヘッダ挿入部が、組み立て中に接触される２つ以上の別個の部分を含んでいないことが好ましい。
【００７１】
電気コネクタアセンブリの別の有利な実施形態では、導電性タブが設けられ、タブは、少なくとも約１３５°の角度を有し、プラグ方向でヘッダ挿入部に挿入されるように構成される。
【００７２】
先に述べた電気導体はケーブルまたはタブのいずれかとして具現化することができ、ヘッダではタブが好ましく、様々な電気コネクタではケーブルが好ましい。
【００７３】
ヘッダに適用されるタブは、打ち抜き曲げ金属シート部品として具現化することができる、すなわち、少なくとも約１３５°の角度を得るために２つの部品を互いに接続する必要なしに一体構造化することができる。
【００７４】
ヘッダ挿入部は、プラグ方向に沿って少なくとも約１３５°だけ曲げられたタブの挿入を可能にするコンタクト側部分を有するように構成することができ、それにより、ヘッダへのタブの組み立ては、傾斜運動なしに直線方向で行うことができる。
【００７５】
そのような一体構造タブは、接触抵抗が別の電気コンタクトポイントによって増加されないので有利である。
【００７６】
タブは、電気コネクタの電気コンタクトソケットへの１つまたは複数のタブの挿入を容易にするためにタブの先端のところに面取り部を具現化することができる。
【００７７】
本発明の電気コネクタアセンブリの別の実施形態では、ヘッダハウジングがコンタクト側からヘッダ挿入部を受け取るように構成されるならば有利である。
【００７８】
コンタクト側からヘッダハウジングにヘッダ挿入部を挿入するのは、２つの異なる受取りフェーズの間の２つの直線移動で実行され得る。
【００７９】
ヘッダハウジングへのヘッダ挿入部の組み立ては、フォームフィットで両方の要素を係合させることによって完成させることができる。フォームフィットは、ヘッダハウジングの接続側レセプタクルおよび／またはコンタクト側レセプタクルとヘッダ挿入部との補完的形状によって達成され得る。
【００８０】
以下、本発明が添付図面を参照しながら説明されるが、上述の特徴の少なくとも一部が、図に示される１つまたは複数の実施形態に組み込まれている。説明する１つまたは複数の実施形態の個々の特徴は、その特徴に関連する利点が特定用途に関連しない場合、上述の説明に応じて省略されることがある。同等に、特定用途がそれぞれの特徴を必要とする場合、説明する実施形態は上述の特徴を追加として含むことができる。
【００８１】
図において、同じ要素と、同じ機能および／または構造をもつ要素とは、同じ参照符号でラベル付けされる。
【図面の簡単な説明】
【００８２】
【図１】先行技術の電気コネクタを示す図である。
【図２】第１の位置のコネクタハウジングアセンブリを示す図である。
【図３】第２の位置のコネクタハウジングアセンブリを示す図である。
【図４】コネクタインサートが組み付けられた状態のコネクタハウジングを示す図である。
【図５】嵌合コネクタインサートが組み付けられた状態の嵌合コネクタハウジングを示す図である。
【図６Ａ】コネクタインサートの組み立てを示す図である。
【図６Ｂ】コネクタインサートの組み立てを示す図である。
【図６Ｃ】コネクタインサートの組み立てを示す図である。
【図７Ａ】コネクタハウジングへのコネクタインサートの挿入を示す図である。
【図７Ｂ】コネクタハウジングへのコネクタインサートの挿入を示す図である。
【図８】シールドの第１の実施形態を示す図である。
【図９】シールドの第２の実施形態を示す図である。
【図１０Ａ】嵌合コネクタインサートの組み立てを示す図である。
【図１０Ｂ】嵌合コネクタインサートの組み立てを示す図である。
【図１１Ａ】嵌合コネクタハウジングへの嵌合コネクタインサートの挿入を示す図である。
【図１１Ｂ】嵌合コネクタハウジングへの嵌合コネクタインサートの挿入を示す図である。
【図１２】電気コネクタの断面図である。
【発明を実施するための形態】
【００８３】
図１は、先行技術の電気コネクタアセンブリ２を示す。より正確には、２つのあり得る電気コネクタアセンブリ２が示されており、両方は各々電気コネクタ４と嵌合コネクタ６とを含む。電気コネクタ４は、ケーブル３３として具現化される導電体１５７を含み、嵌合コネクタ６は、コンタクト要素（図示せず）として具現化され得る電気嵌合導体１５９を含む。
【００８４】
図１は、コネクタ４で使用される２つの異なるコネクタハウジング３を示す。コネクタハウジング３ａは９０°コネクタハウジングであり、コネクタハウジング３ｂは１８０°コネクタハウジングである。両方のコネクタハウジング３ａ、３ｂは、嵌合コネクタ６で使用されるヘッダハウジング５ａとして具現化された嵌合コネクタハウジング５にプラグ接続されるように構成される。
【００８５】
図１は、最新技術のコネクタハウジングアセンブリ１の１つの欠点を示している。コネクタハウジングアセンブリ１によって与えられる角度を変更するには、コネクタハウジング３または嵌合コネクタハウジング５のうちの１つが、それぞれのハウジングの異なる実施形態と取り替えられなければならない。
【００８６】
図２および図３は両方ともコネクタハウジングアセンブリ１を示しており、コネクタハウジング３と嵌合コネクタハウジング５とは、図２の第１の位置７でおよび図３の第２の位置９で互いに接続される。
【００８７】
コネクタハウジングアセンブリ１はプラグ位置７、９と無関係に同じ要素を有するので、図２および図３は一緒に説明され、プラグ位置７、９による差は適宜示される。
【００８８】
コネクタハウジング３と嵌合コネクタハウジング５とはプラグ方向１１に沿って一緒にプラグ接続され、それにより、接続セクション１３が形成される。コネクタハウジング３および嵌合コネクタハウジング５のプラグ方向１１は、互いに平行であるが、それらの方向は逆である。
【００８９】
図２および図３に示した嵌合コネクタハウジング５は、フランジ１５を含むヘッダハウジング５ａとして具現化される。フランジ１５は、固定開口（図２または図３には図示せず、図５を参照）によってヘッダハウジング５ａを壁（図示せず）に取り付けるように構成される。
【００９０】
軸方向シール１７もまた図２および図３に示されている。軸方向シール１７は、ヘッダハウジング５ａのコンタクト側に配置され、流体および塵埃を防ぐために壁開口（図示せず）を封止するのに適用される。
【００９１】
軸方向シール１７は、シールピン１７ａによって正しい位置に保持され、コンタクト方向２１と反対方向に軸方向シール１７から延びるシールピン１７ａは、フランジ１５のスルーホール１５ａに受け取られる。
【００９２】
軸方向シール１７は、フランジ１５のコンタクト側に配置されたシール溝（図１２に示される）に受け取られる。
【００９３】
図２および図３はケーブル方向１９とコンタクト方向２１とをさらに示しており、ケーブル方向１９とコンタクト方向２１とは、第１の位置７ではケーブル方向１９とコンタクト方向２１とは互いに垂直である（図２）が、第２の位置９ではケーブル方向１９とコンタクト方向２１とは互いに平行である（図３）ことを示すために、それぞれの図の左上角に再度描かれている。コンタクト側２２もまた示されている。
【００９４】
図２および図３には、ケーブル側レセプタクル２３とコンタクト側レセプタクル２５とが示されている。前記レセプタクル（見えない）は、それぞれの方向、すなわち、ケーブル方向１９またはコンタクト方向２１に沿って配向されている。図３に示した第２の位置９では、ケーブル側レセプタクル２３とコンタクト側レセプタクル２５とは、互いに平行に配向されているが、ケーブル側レセプタクル２３は、ｘ方向２９にオフセット距離２７だけ横方向にオフセットされている。
【００９５】
図４には、電気コネクタ４が示されている。電気コネクタ４は、組み立てられた状態３１で示されたコネクタハウジング３を含む、すなわち、電気コネクタ４は、対応する嵌合コネクタとの電気接続を確立する際に使用されるように準備されている。
【００９６】
電気コネクタ４は、ケーブル方向１９と反対方向にコネクタハウジング３のケーブル側レセプタクル２３に受け取られるケーブル３３と、周辺シールのリテーナ３７によって密閉される内側コネクタハウジング３５とを含む。内側コネクタハウジング３５は、以下の図においてより詳細に示される接続側レセプタクル３９に受け取られる。
【００９７】
ケーブル３３は、ケーブルシールリテーナ４１によって中心に位置決めされ固定される。ケーブルシールリテーナ４１は、外側ハウジング４３の上方に置かれ、ケーブルシール（図示せず）を保持して、流体および塵埃を防ぐために外側ハウジング４３の内側を封止する。
【００９８】
図５には、嵌合コネクタハウジング５をもつヘッダ６ａとして具現化され、嵌合コネクタインサート４５を受け取る外側ハウジング４３を含む嵌合コネクタ６が示される。
【００９９】
嵌合コネクタインサート４５は、シールド４９で取り囲まれた内側嵌合コネクタハウジング４７を含むヘッダ挿入部４６として具現化される。嵌合コネクタハウジング５はヘッダハウジング５ａとして具現化される。
【０１００】
コンタクト要素５１もまた示されており、第１のコンタクト要素５１ａはコンタクト側レセプタクル２５からコンタクト方向２１に延び、電気コンタクト要素のうちの１つである第１のコンタクト要素５１ａは内側嵌合コネクタハウジング４７にさらに延びる。
【０１０１】
第２のコンタクト要素５１ｂが図５において見える。前記第２のコンタクト要素５１ｂは、同様に一体構造要素であり、やはり、コンタクト側レセプタクル２５からコンタクト方向２１に延びる。しかしながら、コンタクト側レセプタクル２５は、フランジ１５のために見えない。
【０１０２】
ヘッダ挿入部４６は、接続側レセプタクル３９において中心に位置決めされ、ヘッダ挿入部４６と外側ハウジング４３との間の自由空間である嵌合クリアランス５３を形成する。
【０１０３】
図５は、さらに、プラグ方向１１に沿って嵌合コネクタハウジング５にプラグ接続されるときコネクタハウジング３を案内するために案内溝５７（図４）に受け取られるように構成される案内部材５５を示している。
【０１０４】
２つのハウジングはさらにコネクタ位置保証要素５９を示している。コネクタ位置保証要素５９は、コネクタハウジング３（図４）のロックラッチ６１および嵌合コネクタハウジング５（図５）のもどり止めフック６３として具現化される。
【０１０５】
図５に、軸方向シール１７のシールピン１７ａならびに固定開口６５が示されている。
【０１０６】
図６は、コネクタインサート６７の組み立てを示しており、図６（Ａ）にプリアセンブリ状態６９ａ、図６（Ｂ）に挿入状態６９ｂ、および図６（Ｃ）に最終状態６９ｃを示している。
【０１０７】
コネクタインサート６７は、シールド４９と、内側コネクタハウジング３５と、ケーブル３３とを含む。ケーブル３３は、ケーブル３３の芯７３が見える非シールド領域７１を含む。このように、図６に示したケーブルの実施形態は二芯ケーブルであるが、しかしながら、任意の多芯ケーブルを使用することができる。
【０１０８】
２つの芯７３のリードワイヤ（図６には図示せず、図１２を参照）は、内側コネクタハウジング３５に受け取られるが、ケーブル３３はケーブル方向１９に配向されており、内側コネクタハウジング３５はプラグ方向１１に沿って配向される。
【０１０９】
両方の前記方向は互いに４５°の角度をなすが、２つの芯７３は非シールド領域７１において１３５°だけの必要な曲がりを備える。
【０１１０】
コネクタインサート６７は、ケーブルシールリテーナ４１と、ケーブルシール７５と、外側クリンプフェルール７７と、内側クリンプフェルール７９とをさらに含む。外側クリンプフェルールは保持要素７８である。
【０１１１】
図６（Ａ）および図６（Ｂ）に示されたシールド４９は、第１のクリンプ状態８１ａにあり、内側ハウジング凹部８３は、シールド４９の第１の部分８５によって密閉される。シールド４９は、フード部分８７をさらに含む。フード部分８７は、ヒンジ線８９のところで第１の部分８５に取り付けられ、プラグ方向１１に沿って配向される。
【０１１２】
図６は、２つのウィング部分９１をさらに示している。ウィング部分９１は、シールド４９の第１の部分８５に一体構造で取り付けられる。ウィング部分９１は、第１の部分８５が内側ハウジング凹部８３を密閉する場合、ケーブル方向１９に沿って配向されるように構成され前もって形成される。図８および図９において、シールド４９がより詳細に示されている。
【０１１３】
フード部分８７ならびにウィング部分９１は、当接縁部９３を示す。第１の部分８５は２つの当接縁部９３をさらに含む。しかしながら、当接縁部９３は、図６では見えない（図８および図９を参照）。
【０１１４】
シールド４９ならびに内側コネクタハウジング３５は、組み立てられるとき両方の要素の位置をロックするために使用されるロック部材９５を含む。
【０１１５】
挿入状態６９ｂ（図６（Ｂ））では、内側コネクタハウジング３５と芯７３とは、プラグ方向１１に沿ってシールド４９に挿入される。内側コネクタハウジング３５は内側ハウジング凹部８３に受け取られ、芯７３ならびにケーブル３３の一部は、フード部分８７とウィング部分９１とによって形成されるケーブル凹部９７に受け取られる。
【０１１６】
挿入状態６９ｂにおいて、内側コネクタハウジング３５とシールド４９とのロック部材９５は、互いにロックされる。
【０１１７】
図６（Ｂ）で分かるように、ケーブル３３の非シールド領域７１、すなわち、芯７３を露出している領域は、ケーブル凹部９７に完全に配置され、それにより、シールド４９によって電磁気的に遮蔽される。
【０１１８】
最終状態６９ｃ（図６（Ｃ））では、フード部分８７は、プラグ方向１１に沿った配向から４５°だけケーブル方向１９に沿った配向にヒンジ線８９のまわりに傾斜された。
【０１１９】
フード部分８７のこの傾斜移動によって、非シールド領域７１と芯７３とは、フード部分８７とウィング部分９１とで完全に取り囲まれているが、前記部分の当接縁部９３は互いに当接している。
【０１２０】
最終クリンプ状態８１ｂ（図６（Ｃ））にあるシールド４９は、ケーブル凹部９７の内側クリンプフェルール７９を受け取り、保持要素７８である外側クリンプフェルール７７は、ウィング部分９１とフード部分８７とを部分的に取り囲む。外側クリンプフェルールは、ケーブル凹部９７が再び開かないようにすることよってシールドをロックおよび／または固定する。
【０１２１】
保持要素７８によって密閉されるフード部分８７とウィング部分９１とは、ケーブル側レセプタクル２３に完全に受け取られ、ケーブル方向１９に沿って配向される。シールド４９の第１の部分８５は、プラグ方向１１に沿って配向される。
【０１２２】
図７は、第１の受取りフェーズ９９ａ（図７（Ａ））および第３の受取りフェーズ９９ｂ（図７（Ｂ））におけるコネクタハウジング３のコネクタインサート６７と外側ハウジング４３とを示しており、外側ハウジング４３は、ケーブル側レセプタクル２３と接続側レセプタクル３９とを見えるようにする断面図として示されている。
【０１２３】
コネクタインサート６７は、コネクタ側部分１２７とケーブル側部分１２８とを含む。
【０１２４】
図７（Ａ）において、コネクタインサート６７は、ケーブル方向１９と反対方向にケーブル側レセプタクルに挿入され、それは移動の破線１０１によって示されている。移動の破線１０１に沿って、コネクタインサート６７の１つのコーナー１０３は、第１の受取りフェーズ９９ａ中に、前記コーナー１０３が外側ハウジング４３の内壁１０５に接触するまで移動する。
【０１２５】
図７（Ｂ）は、第３の受取りフェーズ９９ｂの終了におけるコネクタインサート６７と外側ハウジング４３とを示しており、シールド４９の第１の部分８５は、接続側レセプタクル３９とケーブル３３とに完全に受け取られる。
【０１２６】
図に示されていない第２の受取りフェーズ９９ｃの間、コネクタインサート６７は、ヒンジ線８９のまわりに回転される。挿入方向１０７は、第１の受取りフェーズ９９ａの間、ケーブル方向１９とは反対に配向され、第３の受取りフェーズ９９ｂの間、プラグ方向１１に沿って配向される。第２の受取りフェーズ９９ｃ（図示せず）中に、挿入方向１０７は、ケーブル方向１９とは反対の方向からプラグ方向１１までヒンジ線８９のまわりに４５°だけ回転される。
【０１２７】
図７（Ｂ）は、さらに、コネクタインサート６７とケーブル側レセプタクル２３との間のクリアランス１０９がコネクタインサート６７と接続側レセプタクル３９との間よりも大きいことを示している。
【０１２８】
図７は、嵌合コネクタハウジング５の案内部材５５（図３を参照）が案内される案内溝５７をさらに示している。
【０１２９】
案内溝５７のうちの１つにおいて、可撓性アーム１１１に取り付けられているもどり止めフック６３が、案内溝５７中に延びる。
【０１３０】
コネクタハウジング３と嵌合コネクタハウジング５とが互いにプラグ接続されるとき、前記もどり止めフック６３は、嵌合コネクタハウジング５の案内部材５５に当接し、可撓性アーム１１１を接続側レセプタクル３９から遠ざけるようにそらし、そしてハウジング３、５を互いの中に十分に挿入する際に、もどり止めフック６３は、案内部材５５の背後に係合し、それにより、両方のハウジング３、５を互いにロックする。
【０１３１】
接続側レセプタクル３９は、さらに、コネクタ位置保証要素５９を含み、シールレセプタクル１１３によって囲まれる。シールレセプタクル１１３は、周辺シール１４９（図示せず）と周辺シールのリテーナ３７（図示せず）とを受け取るように構成される。
【０１３２】
図８および図９は、シールド４９の２つの実施形態を示しているが、シールド４９ａはコネクタハウジング３で使用されるよう構成され、シールド４９ｂは嵌合コネクタハウジング５で使用されるように構成される。
【０１３３】
両方のシールド４９は前もって形成される、すなわち、例えば、シールド４９ａのウィング部分９１は曲げられ、またはシールド４９ｂの第１の部分８５は既に内側嵌合ハウジング凹部１１５を形成している。
【０１３４】
図８および図９はまたヒンジ線８９を示している。ヒンジ線８９は、ヒンジ線８９の構造を見えるようにするズームボックス１１７において拡大されている。図８および図９に示されたヒンジ線８９の実施形態は、多くのドリル孔１１９によって導入された脆弱化線１２１を含む。多くのドリル孔１１９は、破線で示された脆弱化線１２１に沿って配向されている。
【０１３５】
図８はまた、シールド４９ａの第１のウィング当接縁部９３ａを示しているが、フード部分８７の当接縁部９３とウィング部分９１の第１の当接縁部９３ａとは、互いに補完的に形成される。第２のウィング当接縁部９３ｂは、互いに補完的に形成される。
【０１３６】
シールド４９ａは、さらに、いくつかの弾性クランピング脚部９４を含む。弾性クランピング脚部９４は、主としてシールド間の十分な垂直力を用いて電気コンタクトを確立するように構成される。さらに、いくつかの弾性クランピング脚部９４は、嵌合コネクタ６からコネクタ４を抜くための機械的リリース力を増加させることができ、もどり止めフック６３の形態のロック部材９５として、またはロック凹部１２３として働くこともできる。上述で与えられる効果の程度は、本発明の特定の実施形態によって変わることがある。
【０１３７】
図９に示すシールド４９ｂの第２の実施形態は、やはり、第１の部分８５と、フード部分８７と、２つのウィング部分９１とを有する。第１の部分８５は、両方のシールド４９ａ、４９ｂに関して類似している。第１の部分８５とウィング部分９１との当接縁部９３は、互いに少なくとも部分的に補完的である。
【０１３８】
シールド４９ｂは、ヒンジ線８９に対して垂直に配向された２つの脆弱化線１２１と、第１の部分８５から遠ざかるようにフード部分８７とウィング部分９１とから延びる多くの弾性クランピング脚部９４とをさらに含む。前記クランピング脚部９４は、シールドと機械壁との間の十分な垂直力を用いて電気コンタクトを確立するように構成される。
【０１３９】
図９では、１つの弾性クランピング脚部９４のみが、図面を明確にするために参照符号で印を付けられている。
【０１４０】
図１０は、ヘッダ挿入部４６として具現化された嵌合コネクタインサート４５をプリアセンブリ状態６９ａと挿入状態６９ｂとで示す。
【０１４１】
プリアセンブリ状態６９ａ（図１０（Ａ））では、内側嵌合コネクタハウジング４７とシールド４９ａとは、プラグ方向１１に沿ってまたはプラグ方向１１と反対方向に互いの方に移動され、ヘッダ挿入部４６のコネクタ側部分１２７は内側嵌合ハウジング凹部１１５に受け取られ、コンタクト側部分１２９は、シールド４９ａのフード部分８７とウィング部分９１とによって少なくとも部分的に取り囲まれる。
【０１４２】
挿入状態６９ｂ（図１０（Ｂ））では、第１の部分８５とウィング部分９１との当接縁部９３は、それらが互いに補完的であるので、互いに少なくとも部分的に当接する。
【０１４３】
弾性クランピング脚部９４は、ヘッダ挿入部４６のコンタクト側部分１２９に係合する。係合は、位置または摩擦係合とすることができる。
【０１４４】
図１０はまた、コネクタ側部分１２７からコンタクト側部分１２９に延びるコンタクト要素５１を示している。コンタクト要素５１は、コンタクト側部分１２９からコンタクト方向２１に延びる。案内部材５５もまた示されており、その特定の形状は図１１を参照して説明される。
【０１４５】
図１１において、ヘッダハウジング５ａとして具現化される嵌合コネクタハウジング５へのヘッダ挿入部４６の挿入が、第１の受取りフェーズ９９ａ（図１１（Ａ））と第２の受取りフェーズ９９ｃ（図１１（Ｂ））とに示されている。第１の受取りフェーズ９９ａでは、ヘッダ挿入部４６はプラグ方向１１に沿ってコンタクト側レセプタクル２５に挿入される。ヘッダ挿入部４６はコンタクト側レセプタクル２５を通過し、接続側レセプタクル３９によって受け取られる。
【０１４６】
ヘッダ挿入部４６の挿入の間、ヘッダ挿入部４６の第１の部分８５は、接続側レセプタクル３９の内壁１０５に沿って滑り、接続側レセプタクル３９の内壁１０５によって案内される。
【０１４７】
案内部材５５の移動は、ヒンジ線８９と第２の機械的コンタクトポイント１３５との間で測定することもできる距離１３１を示す破線によって示される。
【０１４８】
ヘッダ挿入部４６が距離１３１にわたりヘッダハウジング５ａに挿入される場合、案内部材５５が機械的コンタクトポイント１３３のところでヘッダハウジング５ａに接触するとき、プラグ方向に沿ったそれ以上の移動が防止される。
【０１４９】
第２の受取りフェーズ９９ｃ中のフェーズの終了が図１１（Ｂ）に示される。ヘッダ挿入部４６は、コンタクト方向２１とは反対の方向にヘッダハウジング５ａにさらに挿入される。ヘッダ挿入部４６のこの移動は、案内部材５５の案内壁１３７によって案内される。案内部材５５は、ヘッダハウジング５ａのコンタクト側レセプタクル２５の内部に配置された第２の案内壁１３７ａに沿って滑り、案内される。
【０１５０】
同様の状況は、第２の機械的コンタクトポイント１３５の近くで見いだすことができ、ここで、フード部分８７は、コンタクト側レセプタクル２５の内部にやはり配置されている第３の案内壁１３７ｂに沿って案内される。
【０１５１】
ヘッダ挿入部４６がヘッダハウジング５ａに完全に挿入される、すなわち、ヒンジ線８９が第３の機械的コンタクトポイント１４１に接触する場合、嵌合コネクタインサート４５の１つの側面、すなわち、コンタクト側部分１２９に配置された案内部材５５の特定の形状は、接続側レセプタクル３９の内壁１０５の形状を補完する。
【０１５２】
壁領域１４２では、案内部材５５と内壁１０５との間のオフセットは存在しない。ヘッダ挿入部４６の挿入移動は、さらに、接続側レセプタクル３９の開口を基準にしてヘッダ挿入部４６の第１の部分８５のセンタリングをもたらす。
【０１５３】
図１１は、さらに、軸方向シール１７（図示せず）を受け取るように構成される上記のシール溝１４３と、シールピン１７ａ（図示せず）を受け取るように構成されたスルーホール１５ａと、コネクタハウジング３の案内溝５７（図示せず）の内部に案内されるように構成された接続側レセプタクル３９の開口のところの案内部材５５とを示している。
【０１５４】
図１２は、電気コネクタアセンブリ２を断面図で示しているが、切断は、１つのコンタクト要素５１が配置されている平面に沿って実行されている。電気コネクタアセンブリ２は、電気コネクタ４と、電気嵌合コネクタ６とを含む。
【０１５５】
電気コネクタアセンブリ２は第１の位置７で示されており、それは、ケーブル方向１９とコンタクト方向２１との間の角度が９０°であることを意味する。
【０１５６】
ケーブル３３は、ケーブル方向１９とは反対の方向にケーブル側レセプタクル２３に挿入される。ケーブル側レセプタクル２３の開口は、ケーブルシール７５によって封止される。ケーブルシール７５は、ケーブル３３を密閉するように構成され、ケーブル側レセプタクル２３の内部に配置されるように構成される。ケーブルシール７５は、ケーブルシールリテーナ４１に当接する。ケーブルシールリテーナ４１によってケーブルシール７５は保持される。
【０１５７】
ケーブルシール７５は、さらに、外側クリンプフェルール７７、内側クリンプフェルール７９、およびシールド４９ａに当接することができる。
【０１５８】
ケーブル凹部９７の内部において、ケーブル３３の絶縁物は部分的に取り除かれて、芯７３をもたらすが、図１２には１つの芯７３のみが見える。
【０１５９】
各芯７３それ自体は絶縁物を有するが、プラグソケット１４７として具現化されたコンタクト要素５１との電気接続を確立するために、この特定の絶縁物は単に取り除かれる。芯７３のリードワイヤ１４９は、例えばクランピングまたは溶接によってプラグソケット１４７に取り付けられる。
【０１６０】
内側コネクタハウジング３５は、シールド４９ａの接続側レセプタクル３９に受け取られ、内壁１０５でおよびヒンジ線８９でシールド４９ａに当接する。
【０１６１】
外側ハウジング４３のシールレセプタクル１１３に、周辺シール１４９、周辺シールのリテーナ３７、ならびに接続セクション１３に延びる嵌合コネクタハウジング５の一部が受け取られる。
【０１６２】
周辺シールのリテーナ３７は、周辺シール１４９とシールド４９ａとに当接し、両方の要素が第１の位置７に達する前にプラグ方向１１に電気コネクタ４から意図せずに外れるのを防止する。
【０１６３】
シールド４９ａの弾性クランピング脚部９４は、シールド４９ｂに当接する、より正確にはシールド４９ｂの第１の部分８５に当接する。
【０１６４】
周辺シールのリテーナ３７は、嵌合コネクタハウジング５の接続側レセプタクル３９に挿入され、ヘッダ挿入部４６と接続側レセプタクル３９の内壁１０５との間に配置される。
【０１６５】
接続側レセプタクル３９は壁領域１４２においてオフセットフリーであるので、接続側レセプタクル３９への周辺シールのリテーナ３７の挿入は、防止または阻止されない。
【０１６６】
ヘッダ挿入部４６は、内側嵌合コネクタハウジング４７を含み、シールド４９ｂは、嵌合コネクタハウジング５のコンタクト側レセプタクル２５に堅く保持される。
【０１６７】
コネクタハウジング３と嵌合コネクタハウジング５との間の電気接続は、タブ１５１として具現化される嵌合コネクタハウジング５のコンタクト要素５１によって確立される。タブ１５１は、一体構造で具現化され、その先端１５３とその端部１５５との間に１３５°の角度を有する。タブ１５１の先端１５３は、プラグソケット１４７への容易な挿入のための面取り部を示している。
【０１６８】
タブ１５１は、図１２に示したプラグ方向１１と反対方向に内側嵌合コネクタハウジング４７に挿入される。
【０１６９】
図１２がさらに示すところによれば、シールド４９ｂのウィング部分９１は、シールド４９ｂの第１の部分８５に完全には当接しておらず、軸方向シール１７は、図示されていない壁に対してフランジ１５を封止するシール溝１４３に受け取られる。
【符号の説明】
【０１７０】
１  コネクタハウジングアセンブリ
２  電気コネクタアセンブリ
３、３ａ、３ｂ  コネクタハウジング
３ａ  ９０°コネクタハウジング
３ｂ  １８０°コネクタハウジング
４  電気コネクタ
５  嵌合コネクタハウジング
５ａ  ヘッダハウジング
６  嵌合コネクタ
６ａ  ヘッダ
７  第１の位置
９  第２の位置
１１  プラグ方向
１３  接続セクション
１５  フランジ
１５ａ  スルーホール
１７  軸方向シール
１７ａ  シールピン
１９  ケーブル方向
２１  コンタクト方向
２２  コンタクト側
２３  ケーブル側レセプタクル
２５  コンタクト側レセプタクル
２７  オフセット距離
２９  ｘ方向
３１  組み立てられた状態
３３  ケーブル
３５  内側コネクタハウジング
３７  周辺シールのリテーナ
３９  接続側レセプタクル
４１  ケーブルシールリテーナ
４３  外側ハウジング
４５  嵌合コネクタインサート
４６  ヘッダ挿入部
４７  内側嵌合コネクタハウジング
４９  シールド
４９ａ  シールドの第１の実施形態
４９ｂ  シールドの第２の実施形態
５１  コンタクト要素
５１ａ  第１のコンタクト要素
５１ｂ  第２のコンタクト要素
５３  嵌合クリアランス
５５  案内部材
５７  案内溝
５９  コネクタ位置保証要素
６１  ロックラッチ
６３  もどり止めフック
６５  固定開口
４５  コネクタインサート
６９ａ  プリアセンブリ状態
６９ｂ  挿入状態
６９ｃ  最終状態
７１  非シールド領域
７３  芯
７７  外側クリンプフェルール
７８  保持要素
７９  内側クリンプフェルール
８１ａ  第１のクリンプ状態
８１ｂ  最終クリンプ状態
８３  内側ハウジング凹部
８５  第１の部分
８７  フード部分
８９  ヒンジ線
９１  ウィング部分
９３  当接縁部
９３ａ  第１のウィング当接縁部
９３ｂ  第２のウィング当接縁部
９４  弾性クランピング脚部
９７  ケーブル凹部
９９ａ  第１の受取りフェーズ
９９ｂ  第３の受取りフェーズ
９９ｃ  第２の受取りフェーズ
１０１  移動の破線
１０３  コーナー
１０５  内壁
１０７  挿入方向
１０９  クリアランス
１１１  可撓性アーム
１１３  シールレセプタクル
１１５  内側嵌合ハウジング凹部
１１７  ズームボックス
１１９  ドリル孔
１２１  脆弱化線
１２３  ロック凹部
１２７  コネクタ側部分
１２８  ケーブル側部分
１２９  コンタクト側部分
１３１  距離
１３３  機械的コンタクトポイント
１３５  第２の機械的コンタクトポイント
１３７  案内壁
１３７ａ  第２の案内壁
１３７ｂ  第３の案内壁
１４１  第３の機械的コンタクトポイント
１４２  壁領域
１４３  シール溝
１４７  プラグソケット
１４９  周辺シール
１５１  タブ
１５３  先端
１５５  端部
１５７  導電体
１５９  電気嵌合導体
【図１】
2017098245.tif 000003
【図２】
2017098245.tif 000004
【図３】
2017098245.tif 000005
【図４】
2017098245.tif 000006
【図５】
2017098245.tif 000007
【図６Ａ】
2017098245.tif 000008
【図６Ｂ】
2017098245.tif 000009
【図６Ｃ】
2017098245.tif 000010
【図７Ａ】
2017098245.tif 000011
【図７Ｂ】
2017098245.tif 000012
【図８】
2017098245.tif 000013
【図９】
2017098245.tif 000014
【図１０Ａ】
2017098245.tif 000015
【図１０Ｂ】
2017098245.tif 000016
【図１１Ａ】
2017098245.tif 000017
【図１１Ｂ】
2017098245.tif 000018
【図１２】
2017098245.tif 000019
【外国語明細書】
2017098245000001.pdf